【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
自装置と他の装置との間で行われる通信状態を制御する通信制御部と、
データの再生に関する再生信号を出力する出力部と、
振動パネルと、
前記振動パネルに取付けられ、前記振動パネルが押下されることによって生じる歪みを電気信号に変換する機能、及び、前記再生信号に基づいて振動を発生させる機能を有する振動デバイスと、
前記電気信号に基づいて、前記歪みの大きさを算出する押圧検出部と、
前記振動デバイスを前記出力部に接続するか、前記振動デバイスを前記押圧検出部に接続するかを切り替える切替部と、
前記通信状態が音声通話状態である場合に、前記振動デバイスを前記出力部に接続して、前記振動を前記振動パネルに出力するよう前記切替部を制御し、前記振動パネルが押下された場合に、前記振動デバイスを前記押圧検出部に接続して、前記電気信号を前記押圧検出部に出力するよう前記切替部を制御する制御部と、
を備える入出力装置。
【請求項２】
前記制御部は、前記振動デバイスを前記出力部に接続するか、前記振動デバイスを前記押圧検出部に接続するかを切り替える切替信号を前記切替部に出力し、
前記切替部は、前記切替信号に基づいて、前記振動デバイスを前記出力部に接続するか、前記振動デバイスを前記押圧検出部に接続するかを切り替える請求項１に記載の入出力装置。
【請求項３】
前記振動デバイスは、
前記振動を前記振動パネルに伝達する第１の振動素子と、
前記歪みを前記電気信号に変換して出力する第２の振動素子と、
を備える請求項２に記載の入出力装置。
【請求項４】
前記第２の振動素子は、前記振動を前記振動パネルに伝達する振動素子としても動作でき、 
前記切替部は、前記第２の振動素子に接続され、前記切替信号に基づいて、前記振動デバイスを前記出力部に接続して、前記出力部から前記第２の振動素子へ前記再生信号を入力するか、前記振動デバイスを前記押圧検出部に接続して、前記第２の振動素子から前記押圧検出部に前記電気信号を出力するかを切り替える請求項３に記載の入出力装置。
【請求項５】
前記振動パネルが押下された位置を表す位置情報を検知する位置検出部と、 
前記振動パネルが押下された位置における歪みを、前記位置検出部により検知された前記位置情報と、前記押圧検出部により算出された前記歪みの大きさに基づいて算出する押圧補正部と、
を更に備える請求項１に記載の入出力装置。
【請求項６】
前記振動パネルが、画像を表示する表示部のパネル又は保護板である請求項５に記載の入出力装置。
【請求項７】
前記振動パネルが、前記位置検出部を覆うパネル面である請求項５に記載の入出力装置。
【請求項８】
前記電気信号の周波数帯域が、振動を知覚することができる帯域の成分を含む請求項１ないし７のいずれかに記載の入出力装置。
【請求項９】
前記再生信号は、音声信号である請求項１ないし８のいずれかに記載の入出力装置。
【請求項１０】
振動パネルが押下された場合に、前記振動パネルに取付けられた振動デバイスを押圧検出部に接続して、前記振動パネルが押下されることによって生じる前記振動パネルの歪みを前記振動デバイスにより電気信号に変換し、前記変換した電気信号に基づいて前記押圧検出部により前記歪みの大きさを算出する工程と、
自装置と他の装置との間で行われる通信状態が音声通話状態である場合に、前記振動デバイスを出力部に接続して、前記出力部から出力されるデータの再生に関する再生信号に基づいて、前記振動デバイスにより振動を発生させ、前記発生させた振動を前記振動パネルに出力する工程と、
を含む入出力方法。
【請求項１１】
前記再生信号は、音声信号である請求項１０に記載の入出力方法。
【請求項１２】
振動パネルが押下された場合に、前記振動パネルに取付けられた振動デバイスを押圧検出部に接続して、前記振動パネルが押下されることによって生じる前記振動パネルの歪みを前記振動デバイスにより電気信号に変換し、前記変換した電気信号に基づいて前記押圧検出部により前記歪みの大きさを算出する工程と、
自装置と他の装置との間で行われる通信状態が音声通話状態である場合に、前記振動デバイスを出力部に接続して、前記出力部から出力されるデータの再生に関する再生信号に基づいて、前記振動デバイスにより振動を発生させ、前記発生させた振動を前記振動パネルに出力する工程と、
をコンピュータに実行させるためのプログラム。
【請求項１３】
前記再生信号は、音声信号である請求項１２に記載のプログラム。
【手続補正２】
【補正対象書類名】明細書
【補正対象項目名】０００７
【補正方法】変更
【補正の内容】
【０００７】
（１）本発明は上記の課題を解決するためになされたものであり、本発明の一態様は、自装置と他の装置との間で行われる通信状態を制御する通信制御部と、データの再生に関する再生信号を出力する出力部と、振動パネルと、前記振動パネルに取付けられ、前記振動パネルが押下されることによって生じる歪みを電気信号に変換する機能、及び、前記再生信号に基づいて振動を発生させる機能を有する振動デバイスと、前記電気信号に基づいて、前記歪みの大きさを算出する押圧検出部と、前記振動デバイスを前記出力部に接続するか、前記振動デバイスを前記押圧検出部に接続するかを切り替える切替部と、前記通信状態が音声通話状態である場合に、前記振動デバイスを前記出力部に接続して、前記振動を前記振動パネルに出力するよう前記切替部を制御し、前記振動パネルが押下された場合に、前記振動デバイスを前記押圧検出部に接続して、前記電気信号を前記押圧検出部に出力するよう前記切替部を制御する制御部と、を備える入出力装置である。
【手続補正３】
【補正対象書類名】明細書
【補正対象項目名】０００８
【補正方法】変更
【補正の内容】
【０００８】
（２）本発明のその他の態様は、上述の入出力装置であって、前記制御部は、前記振動デバイスを前記出力部に接続するか、前記振動デバイスを前記押圧検出部に接続するかを切り替える切替信号を前記切替部に出力し、
前記切替部は、前記切替信号に基づいて、前記振動デバイスを前記出力部に接続するか、前記振動デバイスを前記押圧検出部に接続するかを切り替える。
【手続補正４】
【補正対象書類名】明細書
【補正対象項目名】０００９
【補正方法】変更
【補正の内容】
【０００９】
（３）本発明のその他の態様は、上述の入出力装置であって、前記振動デバイスは、前記振動を前記振動パネルに伝達する第１の振動素子と、前記歪みを前記電気信号に変換して出力する第２の振動素子と、を備える。
【手続補正５】
【補正対象書類名】明細書
【補正対象項目名】００１０
【補正方法】変更
【補正の内容】
【００１０】
（４）本発明のその他の態様は、上述の入出力装置であって、前記第２の振動素子は、前記振動を前記振動パネルに伝達する振動素子としても動作でき、 前記切替部は、前記第２の振動素子に接続され、前記切替信号に基づいて、前記振動デバイスを前記出力部に接続して、前記出力部から前記第２の振動素子へ前記再生信号を入力するか、前記振動デバイスを前記押圧検出部に接続して、前記第２の振動素子から前記押圧検出部に前記電気信号を出力するかを切り替える。
【手続補正６】
【補正対象書類名】明細書
【補正対象項目名】００１１
【補正方法】変更
【補正の内容】
【００１１】
（５）本発明のその他の態様は、上述の入出力装置であって、前記振動パネルが押下された位置を表す位置情報を検知する位置検出部と、前記振動パネルが押下された位置における歪みを、前記位置検出部により検知された前記位置情報と、前記押圧検出部により算出された前記歪みの大きさに基づいて算出する押圧補正部と、を更に備える。
【手続補正７】
【補正対象書類名】明細書
【補正対象項目名】００１２
【補正方法】変更
【補正の内容】
【００１２】
（６）本発明のその他の態様は、上述の入出力装置であって、前記振動パネルが、画像を表示する表示部のパネル又は保護板である。
【手続補正８】
【補正対象書類名】明細書
【補正対象項目名】００１３
【補正方法】変更
【補正の内容】
【００１３】
（７）本発明のその他の態様は、上述の入出力装置であって、前記振動パネルが、前記位置検出部を覆うパネル面である。
【手続補正９】
【補正対象書類名】明細書
【補正対象項目名】００１４
【補正方法】変更
【補正の内容】
【００１４】
（８）本発明のその他の態様は、前記電気信号の周波数帯域が、振動を知覚することができる帯域の成分を含む。
【手続補正１０】
【補正対象書類名】明細書
【補正対象項目名】００１５
【補正方法】変更
【補正の内容】
【００１５】
（９）本発明のその他の態様は、振動パネルが押下された場合に、前記振動パネルに取付けられた振動デバイスを押圧検出部に接続して、前記振動パネルが押下されることによって生じる前記振動パネルの歪みを前記振動デバイスにより電気信号に変換し、前記変換した電気信号に基づいて前記押圧検出部により前記歪みの大きさを算出する工程と、自装置と他の装置との間で行われる通信状態が音声通話状態である場合に、前記振動デバイスを出力部に接続して、前記出力部から出力されるデータの再生に関する再生信号に基づいて、前記振動デバイスにより振動を発生させ、前記発生させた振動を前記振動パネルに出力する工程と、を含む入出力方法である。
【手続補正１１】
【補正対象書類名】明細書
【補正対象項目名】００１６
【補正方法】変更
【補正の内容】
【００１６】
（１０）本発明のその他の態様は、振動パネルが押下された場合に、前記振動パネルに取付けられた振動デバイスを押圧検出部に接続して、前記振動パネルが押下されることによって生じる前記振動パネルの歪みを前記振動デバイスにより電気信号に変換し、前記変換した電気信号に基づいて前記押圧検出部により前記歪みの大きさを算出する工程と、自装置と他の装置との間で行われる通信状態が音声通話状態である場合に、前記振動デバイスを出力部に接続して、前記出力部から出力されるデータの再生に関する再生信号に基づいて、前記振動デバイスにより振動を発生させ、前記発生させた振動を前記振動パネルに出力する工程と、をコンピュータに実行させるためのプログラム。
（１１）上述の入出力装置、入出力方法、プログラムにおいて、前記再生信号は、音声信号であってもよい。